Podtech/llm-jp-corpus-v4-ja_patent huggingface dataset:
(57)【要約】      （修正有）【課題】興奮して飼い主が叱っても吠え止まない犬の無駄吠えを矯正する器具。【解決手段】加工したステンレス製の筒状ボックス１の中に、鋼球２を複数個入れた器具を左右に振る事により、犬の嫌がる独特の金属音を発生させる事を特徴とする、犬の無駄吠え矯正器具。【選択図】図１
0003103940.tif 000002
【実用新案登録請求の範囲】
【請求項１】
加工したステンレス製の筒状ボックスの中に、鋼球を複数個入れた器具を左右に振る事により、犬の嫌がる独特の金属音を発生させる事を特徴とする、犬の無駄吠え矯正器具。
【考案の詳細な説明】
【技術分野】
【０００１】本考案は、多くの愛犬家の悩みである犬の無駄吠えの矯正に関するものである。
【背景分野】
【０００２】一般的に無駄吠えとは、飼い主が注意しても言う事を聞かず興奮状態で吠え続ける状態で、家の前を人が通る度に又は来客がある度にけたたましく吠えたり、散歩時に犬を見ては吠え、飼い主がコントロールできない点が問題になっている。最近では可愛い犬を気軽に飼ってしまい、躾のことはあまり考えず飼ってしまう方が多くこのような問題は増えつつある。結果、近所迷惑になったり他人に不快感を与えてしまう。犬の飼ってない人や嫌いな人、またご老人や小さいお子さんなどが吠えられて、ビックリしてしまうケースもある。今までは遠隔操作による電気ショックを与えるものやスプレー式のきつい臭いを嗅がせるもの、また超音波方式のものなど、何点かの犬無駄吠え防止装置が出ている。
【考案の開示】
【考案が解決しようとする課題】
【０００３】しかしながら、前記のような電気ショックや悪臭を嗅がせる方式は強弱の程度が難しく、弱いと全く効果が無く、的確に選定したとしても犬に与える影響は大きく犬と人間の信頼関係を損なう可能性もあり、愛犬家にとっては避けたい方法である。
また超音波を犬に聞かせる方法も同様である。本来、一番簡単で効率的な方法は、空き缶を数個束ねて犬の近くに強く投げつけ金属音を鳴らす方法が効果的だが、窓や家具を破損させたり犬に怪我をさせたりする可能性があり少し野蛮なイメージが残る。
【目的】
【０００４】本考案は上記の課題を解決し、犬に特別な負荷を与えることなく、後々にも無駄吠えが再発しないよう矯正することを目的とし且つシンプルに無駄吠えを防止できる器具を提供することを目的とする。
犬を調教する専門の方は犬は金属音が苦手ということを知っているので以前よりバケツを叩いたり二つの灰皿を叩き合わせたりしていたが、効果的な金属音が出る専門の調教器具が無かった。本考案はそれを簡単且つ効果的に金属音を出す事を可能にした器具であり一般の愛犬家も簡単に取り扱えるものである。
飼い主が叱っても言う事を聞かない犬は、飼い主より立場が上だと思っているケースも多く、飼い主がリーダーシップを握る意味でもこの器具は役に立つ。
【課題を解決するための手段】
【０００５】本考案は興奮状態の犬でも音に敏感に反応する事に着眼し、特に金属音には極端に反応する性質から、図１の器具を左右に犬の耳元で振ることにより、犬が嫌悪感を感じる金属音を発生させ、無駄吠えをやめさせる矯正器具である。
犬の耳にダイレクトに響くので効果覿面である。
【０００６】飼い主の叱り声も耳にはいらないくらいに、興奮して吠えている犬でも耳元で響く金属音には一瞬反応して鳴きやむ。缶の束を投げ金属音を出す方法とは違い、犬の耳元で図１の金属音を鳴らす事によって安全且つ効果的に犬が吠えるのをやめさせる事ができる。そこで「やめろ」などと命令言葉も合わせる事によって、「やめろ」＝不快音（金属音）と犬自身が学習する事も考えられ、先々は「やめろ」と命令するだけで行為を止める可能性もあり、噛み付きや遠吠えなど、他の教育にも応用できる。この方法であれば、愛犬家の信頼も損なう事もなく、教育の一環として飼い主に忠誠心を植え付けさせることができる。
【実施形態の効果】
【０００７】本考案を実施する事により、愛犬家も楽に無駄吠えを矯正でき、結果近所迷惑の解消や知人に対し不快感を与えずに済む。又、携帯可能なので散歩中にも活用でき，他の散歩中の犬とも仲良くなれる。さらに効果的な実施方法としては、犬が無駄吠えを始めたら首輪または体を掴み耳元のすぐそばで図１の効果音を鳴らす。すると犬は不快感を強く感じピタリと吠えるのをやめる。それでも再び吠え出したらまた効果音を鳴らす。この繰り返しを数回、場面場面で行うことで無駄吠えを矯正することができる。吠え止んだら効果音も同時に止めてあげることがコツである。
【０００８】器具はステンレス鋼を使用。ステンレス鋼は鉄鋼にクロム、ニッケルを加えたもので、丈夫で光沢があり錆びにくく手入れ不要である。また鋼球との相性も良く響きの良い、ガシャンガシャン、という金属音を発生させてくれる。他の金属では重かったり柔らか過ぎたり良い音が出ない。チタンは丈夫で軽いが製造コストと加工性を考えるとステンレス鋼のクロム１８％以上、ニッケル８％以上使用の１８−８オーステナイト系が加工しやすい。また鋼球は表面光沢と防錆性、耐摩耗性を高めるために硬質クロームメッキされたものが良く、反発性が高められたパチンコ玉のような素材のものが良い。
【０００９】この器具は図３のように真ん中からねじり式で固定しているので開けることが出来る。犬の状況によって鋼球の数を増減でき、シンプルな金属音から複雑な金属音まで出す事が可能である。使用しない時は図４のようなスポンジの模ったものを詰めておけば音はしない。また度々利用する時はスポンジを取って立てて置けば音はしない。
【図面の簡単な説明】
【００１０】
【図１】全体の斜視図
【図２】使用例
【図３】真ん中から開けた図
【図４】中に詰める模ったスポンジ
【符号の説明】
【００１１】１  ステンレス製の筒状のボックス
２  鋼球
３  左右に振る方向
４  ねじり式の接合部分
【図１】
0003103940.tif 000003
【図２】
0003103940.tif 000004
【図３】
0003103940.tif 000005
【図４】
0003103940.tif 000006
(57)【要約】【課題】  本考案は、操船シミュレータを車両に搭載することにより、操船シミュレータ設置にかかるコスト削減と、移動式にすることにより利用者の負担を軽減する。【解決手段】  本考案は、操船シミュレータを車両に搭載し移動することにより、操船シミュレータの設置にかかるスペースの確保や当該スペースの維持に関するコストを削減し、また、利用者のニーズに合わせ自由に移動できることから操船シミュレータを有する施設までの移動時間や交通費等の利用者の負担を軽減することに役立つ。【選択図】  図１
0003103938.tif 000002
【実用新案登録請求の範囲】
【請求項１】
車両に搭載することにより移動が可能になったことを特徴とする操船シミュレータ。
【考案の詳細な説明】
【技術分野】
【０００１】  本考案は、車両に搭載することにより移動を可能にした操船シミュレータに関するものである。
【背景技術】
【０００２】  既存の模擬船橋式操船シミュレータは大型で、定置タイプのものであり、移動式のものはなかった。
【考案の開示】
【考案が解決しようとする課題】
【０００３】  既存の操船シミュレータは定置タイプであるため、設置するスペースの確保やかかるスペースを維持するためのコスト等が大きな負担となっていた。また、利用者はシミュレータが設置されている施設まで行かなくてはならず、当該施設までの交通費や移動時間が利用者にとっての負担となっていた。
そこで、本考案は、操船シミュレータ設置に関するコストを削減し、利用者の負担を軽減することを目的とするものである。
【課題を解決するための手段】
【０００４】  上記の目的を達成するために、車両に搭載することにより移動が可能になったことを特徴とする操船シミュレータである。
【考案の効果】
【０００５】  本考案によれば、操船シミュレータを車両に搭載することにより、設置にかかるコストを大幅に抑えることができる。また、移動式にすることによって、利用者の負担を軽減することができる。
【考案を実施するための最良の形態】
【０００６】  操船シミュレータを車両に搭載し、利用者のニーズに合わせ移動する。利用者は、移動時間や交通費といった負担を受けることなく操船シミュレータを体験することができる。
【実施例】
【０００７】  車両荷台１内部の片側側面に映像出力装置２を設置し、他方側面に操舵コントロールやレーダー指示器等の操船制御装置３を設置する。【０００８】  シミュレーション制御用のコンピュータ群４においては、操船制御装置３からの信号を受け、リアルタイムで三次元ＣＧ画像とレーダー擬似映像を生成し、映像出力装置２やレーダー指示器の表示部に出力する。【０００９】  車両荷台１には拡幅機能を持たせる。また、映像出力装置２には従来型のプロジェクターではなくプラズマディスプレイ等の大画面ながら省スペースの装置を用いることにより、狭い車両内部においてもシミュレータを体験する上で十分なスペースを確保することができる。【００１０】  また、操船シミュレータを車両横方向に配置することで、映像出力装置を複数台並べることが可能となり、従来型同等の広角な視野を確保した操船シミュレーションを構築することができる。
【図面の簡単な説明】
【００１０】
【図１】本考案にかかる車両搭載状況を示す車両荷台部を拡幅した状態の車両上面透視図である。
【図２】車両荷台部を収納した状態の車両上面透視図である。
【符号の説明】
【００１０】      １  車両荷台部
２  映像出力装置
３  操船制御装置
４  シミュレーション制御用コンピュータ群
５  荷台拡幅部
【図１】
0003103938.tif 000003
【図２】
0003103938.tif 000004
(57)【要約】      （修正有）【課題】手を使用しないで眠気防止および、頭脳活性、首筋、肩、膝の疲労につき回復の一助となるべき方法を提供する。室内作業、車両の運転中のいずれを問わず解決の手段を提供する。【解決手段】膝の裏側と首筋を周回するベルト１を用意し、適切な位置を求めてツボを押さえる突起２を数個、およびその周辺の適切な位置を選択して磁性体３を配置する。【選択図】図１
0003103939.tif 000002
【実用新案登録請求の範囲】
【請求項１】
首筋および肩のツボ押さえに適切な形状の突起数個と、さらに適切な位置を選択して磁性体を配備した、膝の裏側と首筋間を周回するベルト。
【考案の詳細な説明】
【技術分野】
【０００１】この考案は頭脳活性、および首筋、肩、膝の疲労、凝り、足のむくみにつき回復に貢献するためのベルトに係るものである。
【背景技術】
【０００２】これまでのものは手を使って目的を果たそうとして来た。
【考案の開示】
【考案が解決しようとする課題】
【０００３】手の使用を回避して目的を達成したい。
【課題を解決するための手段】
【０００４】膝の裏側と首筋を周回するベルトを用意し、適切な位置を求めてツボを押さえる突起を数個、およびその周辺の適切な位置を選択して磁性体を配置する。
【考案の効果】
【０００５】使用時に椅子などに座り、膝の裏側でベルトの下部を押さえて首筋、および肩に突起を位置させ、首を振れば血流の理想を迎え、頭脳は活性化、眠気を回避してしかも首筋および肩の凝り疲労は快適に除去をされる。
常時はこのベルトの静かな着用により、磁性体の効果を求めて血流の理想を期待する。
【考案を実施するための最良の形態】
【０００６】ベルトはマジックテープなどを利用して長さの調節、および着脱の便利化を図るなら、最良である。
【実施例】
【０００７】ベルトの幅は５センチ内外、肩の部分については８センチ程度がツボ押さえの位置の関係では良いかも知れない。
ベルトの材料にトルマリンなどを練りこむなら、さらなる効果も期待ができるかと考えられるが価格との兼ね合いが重要である。
【産業上の利用可能性】
【０００８】価格の予想として、製作原価は千円から三千円内外で可能と思われるからその流通は小さくは無いと想定できる。
【図面の簡単な説明】
【０００９】
【図１】考案の正面図。
【図２】実施例を示した略図。
【符号の説明】
【００１０】１  ベルト          ２  突起
３  磁性体
【図１】
0003103939.tif 000003
【図２】
0003103939.tif 000004
(57)【要約】【課題】            透明、中空状の外装体の内部に封入された装飾体が内部で動くことにより視覚的興趣に富むカプセル型シール玩具に関するものである。【解決手段】        カプセル型シール玩具において、裏面に粘着層が設けられると共に該粘着層に剥離シートが貼付された平面状基シートと、塩化ビニル樹脂などの透明合成樹脂素材からなる中空状の外装体と、該外装体内部に各種キャラクターに模して成形された装飾体を封入したことを特徴とするものである。【選択図】          図１
0003103987.tif 000002
【実用新案登録請求の範囲】
【請求項１】
裏面に粘着層が設けられると共に該粘着層に剥離シートが貼付された平面状基シートと、透明合成樹脂素材からなる中空状の外装体と、該外装体内部に各種キャラクターに模して成形された装飾体を封入したことを特徴とするカプセル型シール玩具。
【考案の詳細な説明】
【技術分野】
【０００１】
本考案は、シール玩具に関するものであり、殊に、装飾体が内部で動くことにより視覚的興趣に富むカプセル型シール玩具に関するものである。
【背景技術】
【０００２】
従来より、シール本体を各種の形状に成形したシール玩具や、合成樹脂シート内部に発泡材を充填したシール玩具が提供されている。（例えば、特許文献１や特許文献２。）
【０００３】
【特許文献１】実用新案登録第３００８６３８号公報
【特許文献２】実開平３−４６３９８号公報  また、シール本体の表面などに印刷を施した装飾シールが公に知られている。
【考案の開示】
【考案が解決しようとする課題】
【０００４】
しかしながら、上記した従来提供されているシール玩具は、装飾的外観に動的な変化を与えることができない。
【課題を解決するための手段】
【０００５】
本考案は上記の課題に鑑みなされたものであり、カプセル型シール玩具において、
裏面に粘着層が設けられると共に該粘着層に剥離シートが貼付された平面状基シートと、透明合成樹脂素材からなる中空状の外装体と、該外装体内部に各種キャラクターに模して成形された装飾体を封入したことを特徴とするものである。
【考案の効果】
【０００６】
本考案は、透明な中空状外装体の内部に各種キャラクターに模して成形された装飾体を封入するカプセル型シール玩具を提供することにより、従来にないカプセルの中でキャラクターが動く視覚的興趣に富む魅力のある商品価値を創造することが可能となる。
【考案を実施するための最良の形態】
【０００７】
本考案の実施の形態を図面に基づき説明する。
【０００８】
図１〜図３は、本考案の実施例であり、図１は、本考案の実施例の断面図、図２〜図３は、本考案の実施例を示す斜視図である。
【０００９】
１は外装体であり、２は装飾体であり、３は基シートであり、４は粘着層であり、５は剥離シートを示すものである。
【００１０】
図示した実施例におけるカプセル玩具においては、その外装体１がハート型や円筒型に成形されているが、本考案に係るカプセル型シール玩具は、これに限定されず、星やフルーツ、グラスなど各種形状を模して成形されるものである。
【００１１】
また、図示した実施例におけるカプセル玩具においては、外装体１内部に封入した装飾体２がハート型や星型や球体に成形されているが、本考案に係るカプセル型シール玩具は、これに限定されず、人物や動物など各種キャラクターに模した形状に成形されるものである。
【００１２】
外装体１は、例えば塩化ビニル樹脂などの合成樹脂素材からなるものであり、無色または有色の透明合成樹脂素材からなるものである。かかる透明素材を用いることにより、内部に封入した装飾体２が外部から視認可能となる。
また、外装体１の表面をホログラム加工、ラメ加工、オーロラ加工を施すことにより、美しい外観を呈するものとなる。
【００１３】
外装体１は、中空状に成形されるものであり、これにより内部に装飾体２を封入することが可能となる。
【００１４】
本考案に係るカプセル型シール玩具は、バッグやノート、携帯電話などあらゆる箇所に貼着することを商品目的とするものであるため、基シート３は平面状に形成され、その裏面には粘着層４が設けられ、これに剥離シート５が貼付されるものである。
【００１５】
中空状外装体１の内部には、各種キャラクターに模して成形された装飾体２が封入される。
【００１６】
装飾体２の形態は限定されないが、図示したように立体的形状が望ましく、内部で装飾体が動くようにするため、底面は平面状に形成され、かつ外装体１の上面に接触しない程度の厚みに形成させることが望ましい。
【００１７】
また、装飾体２の素材も特に限定されず、スポンジや合成樹脂など、各種キャラクターに適宜応じた質感を表する素材が選択されるものである。
【００１８】
なお、図１ならびに図３に示した実施例は、本考案に係るカプセル型シール玩具における最も基本的構成からなるものであり、その他、透明ホログラムシートを設けた実施例（図示せず）や基シートに各種模様の印刷を施した実施例（図２参照）やホログラム箔を施した実施例（図示せず）が想定される。
【図面の簡単な説明】
【００１９】
【図１】本考案に係るカプセル型シール玩具の一実施例を示す断面図。
【図２】本考案に係るカプセルシール玩具の一実施例を示す斜視図。
【図３】本考案に係るカプセルシール玩具の一実施例を示す斜視図。
【符号の説明】
【００２０】
１  外装体
２  装飾体
３  基シート
４  粘着層
５  剥離シート
【図１】
0003103987.tif 000003
【図２】
0003103987.tif 000004
【図３】
0003103987.tif 000005
(57)【要約】【課題】パソコンのプリンタや複写機による印刷やコピーの後、閲覧、携行及び保存のために、簡単に貼り合わせて製本することができる用紙、及び正確に貼り合わせるための器具を開発する。【解決手段】台紙１の端に帯状の糊付け部分２を付与し、その上に薄い脱着性の保護膜３を付けた製本用紙を製作する。糊付け部分２は目的に応じて台紙１の縦、横いずれかに設定する。綴じる際には台紙１から順次に保護膜３を剥がし、次の台紙１を重ねて接着していく。台紙１を正確に重ね合わせるために、平面板４の角に直角枠５を固定した製本器具を考案した。製本は保護膜３を剥がした台紙１を１枚づつ直角枠５に合わせて押し重ねて行う。製本の最後には糊付け部分２と保護膜３のない台紙１を用いる。【選択図】        図１
0003103951.tif 000002
【実用新案登録請求の範囲】
【請求項１】
台紙１の端に接着糊を塗布した糊付け部分２を付与し、その上に脱着性の保護膜３を付けた印刷あるいはコピーのための製本用紙。
【請求項２】
平面板４の角に直角枠５を固定した製本器具。
【考案の詳細な説明】
【考案の開示】
【考案が解決しようとする課題】
【０００１】
パソコンのプリンタや複写機から出力される印刷用紙やコピー用紙は、通常綴じ合わせて閲覧、携行及び保存される。金具やプラスチックを用いた綴じかたは安易である反面、凸凹ができて閲覧と保存に不便で、紙が破損しやすい欠点がある。用紙の端を手作業で糊付して重ねていくことは時間と手間がかかり、仕上がりが不統一である。印刷と複写が従来の手法で出来て、容易に糊付製本できる方法の開発が望まれる。
【課題を解決するための手段】
【０００２】
台紙１の端に、接着糊を帯状に塗布した糊付け部分２をもつ製本用紙を製作する。糊付け部分２は目的に応じて台紙１の縦、横いずれかに設定する。台紙１の上に塗布した糊付け部分２の上には薄い脱着式保護膜３を付ける。製本は印刷あるいはコピーの後、台紙１から保護膜３を剥がして順番に重ねて行う。
【０００３】
台紙１を正確に重ねて接着するために、木材等で作った平面板４の角に直角枠５を固定した器具を用いる。平面板４は台紙１よりも大きくする。直角枠５の各辺の長さは台紙１の縦横程度にしておく。保護シート３を剥がした台紙１は１枚づつ直角枠５に合わせて押し重ねることが出来る。製本の最後には糊付け部分２と保護膜３のない台紙１を用いる。
【考案の効果】
【０００４】
クリップやホッチキス等の綴じ用具を使わない。したがって安全で、不要になったときには廃棄処理も容易にできる。綴じ部分が一様平坦で、まとまった書類の閲覧、携行及び保存に適している。両面印刷した書類が見開きで読みやすくなる。手作り本など、個人や教育現場の資料の製作に適している。
【図面の簡単な説明】
【０００５】
【図１】製本用紙の側面図である。
【図２】製本用紙の表面である。
【図３】台紙を重ね合わせる製本器具である。
【符号の説明】
【０００６】
１            台紙
２            糊付け部分
３            糊付け部分の保護膜
４            平面板
５            直角枠
【図１】
0003103951.tif 000003
【図２】
0003103951.tif 000004
【図３】
0003103951.tif 000005
【手続補正書】
【提出日】平成16年4月9日(2004.4.9)
【手続補正１】
【補正対象書類名】実用新案登録請求の範囲
【補正対象項目名】全文
【補正方法】変更
【補正の内容】
【実用新案登録請求の範囲】
【請求項１】
台紙１の端に接着糊を塗布した糊付け部分２を付与し、その上に脱着性の保護膜３を付けた印刷あるいはコピーのための製本用紙。
(57)【要約】      （修正有）【課題】美観と耐久性に優れる飾り物付き車止めを提供する。【解決手段】ステンレス製、または鋼製のパイプポール１１からなる車止め本体の頂部に、色絵柄が施された陶磁器製キャップ１２が設けられている。【選択図】図１
0003103957.tif 000002
【実用新案登録請求の範囲】
【請求項１】
ステンレス製、または鋼製のパイプポールからなる車止め本体とその頂部に陶磁器の飾り物が取付けられていることを特徴とする飾り物付き車止め。
【請求項２】
陶磁器の飾り物に接着、またはねじ込まれたねじと、車止め本体に取付けられたナットで、飾り物と車止め本体を接続することを特徴とする飾り物付き車止め。
【請求項３】
請求項２記載の飾り物付き車止めにおいて、容易に飾り物が外れないように、車止め本体側ナットを緩み止め機能付きナットとしたことを特徴とする飾り物付き車止め。
【請求項４】
請求項２記載の飾り物付き車止めにおいて、飾り物側ねじと車止め本体側ナットを左ねじとしたことを特徴とする飾り物付き車止め。
【考案の詳細な説明】
【技術分野】
【０００１】
本考案は、環境に合った飾り物付き車止めに関する。
【背景技術】
【０００２】
近年、環境デザインの点から車止めにも本来の機能以外に美観が必要とされ、鋳物製のマスコットを取り付けた車止めや、塗装を施した車止めが増えてきた。これによって、通行人の目を楽しませることができるようになった。
【考案の開示】
【考案が解決しようとする課題】
【０００３】
しかしながら、塗装した車止めも数年で色があせたり剥離が起こり、美観を損ねたまま放置されている事があった。また、鋳物製マスコットには塗装される事は少なく、また塗装されても色あせが早く、金属の冷たい質感しかなかった。
そこで、本考案は細かい色使いが施され、色あせがほとんど無い飾り物を使用し、通行人等を楽しませることを目的とする。
【課題を解決するための手段】
【０００４】
前記目的に沿うよう、ステンレス製や鋼製のポールからなる車止め本体の頂部に、色絵付けされた陶磁器の飾り物を直接接着、またはねじ等を介して取り付ける。
陶磁器には通行人を楽しませる絵柄が施され、また塗装と違い色の剥離や色あせがなく長期間使用できる。
請求項３、請求項４は、長期間の使用において、飾り物が緩んで外れることがないよう、或いは心ない人によって取り外され持ち帰られにくいよう、容易にねじが回せないようにできる。
【考案の効果】
【０００５】
塗装の剥離や、色あせのほとんどない陶磁器製飾り物を頂部に設けることによって、美観の向上と耐久性向上を兼ね備えた車止めを提供することにより、より通行人を楽しませることができる。
【考案を実施するための最良の形態】
【０００６】
図１に示すように、本考案の一実施形態に係る飾り物付き車止め１０は、ステンレス製、または鋼製のパイプポール本体１１と、これに外径を合わせて設けられた陶磁器製キャップ１２からなる。
陶磁器製キャップ１２は、美術陶磁器と同じく通行人を楽しませるような色相、絵柄を有している。
車止め本体ポール１１と、陶磁器製キャップ１２の接続は、接着剤を用いての直接接着、或いは図２に示すように陶磁器製キャップに接着、或いはねじ込まれたねじ１３と車止め本体ポール１１に取付けられたナット１４にて行う。また、ねじ１３と車止め本体ポール１１に取り付けられたナット１４を緩み止めナットとしたり、ねじ１３を左ねじとすることもできる。
【図面の簡単な説明】
【０００７】
【図１】本考案の一実施例の全体図である。
【図２】飾り物と本体ポールをねじ接続した場合の上部断面図である。
【符号の説明】
【０００８】
１０  飾り物付き車止め
１１  ポール本体
１２  陶磁器製キャップ
１３  ねじ
１４  ナット
【図１】
0003103957.tif 000003
【図２】
0003103957.tif 000004
(57)【要約】      （修正有）【課題】本考案は植物と組み合わせた、デザイン性の高いぬいぐるみを提供することを目的としてなされたものである。【解決手段】本考案はぬいぐるみの本体１に植物を培養できる木の屑４と芝生の種３装入する、ぬいぐるみに水をかけると芝生を培養することができる。芝生の成長によりぬいぐるみのデザイン性を高めることができる。【選択図】図２
0003103946.tif 000002
【実用新案登録請求の範囲】
【請求項１】
植物を培養することができる物質と植物の種を装入することを特徴とするぬいぐるみ。
【請求項２】
マイナスイオンを発生することができるトルマリン鉱石を装入することを特徴とする請求項１記載のぬいぐるみ。
【請求項３】
芳香剤を装入することを特徴とする請求項１記載のぬいぐるみ。
【考案の詳細な説明】
【技術分野】
【０００１】本考案は、植物を培養することができる物質と植物の種を装入するぬいぐるみに関するものである。
【技術背景】
【０００２】現在，市販されているぬいぐるみは殆ど繊維で形を成されており、中は綿などで充填する物である。デザイン性に欠けている。
【考案の開示】
【考案が解決しようとする課題】
【０００３】今までのぬいぐるみの開発は単なる形と色の変更であり、デザイン性も欠けている。
ぬいぐるみと植物を組み合わせることによりぬいぐるみのデザイン性を高めることができ、前述の欠点を解決しようとするものである。
【課題を解決するための手段】
【０００４】本考案は、ぬいぐるみの中に植物を培養することができる物質と植物の種を装入することにより問題点を解決している。
【考案の効果】
【０００５】上述の様に、本考案のぬいぐるみに水をかけると、植物を培養することができる。植物の成長により、ぬいぐるみのデザイン性を高めることができる、トルマリン鉱石はマイナスイオンを発生するので、体の健康を増進する効果がある。ぬいぐるみの中に芳香剤を入れてあるので、香りも発する。本考案のぬいぐるみは家庭、オフィスの癒し系クッズとして、利用することができる。
【考案を実施するため最良の形態】
【０００６】植物を発芽し易くするため、ぬいぐるみの本体は弾性と通気性を有する織目が大きい繊維を使用する。植物培養培地は木の屑を使用する、動物の形にしたぬいぐるみの中に木の屑を詰め、ぬいぐるみの頭部に芝生の種を詰める。芳香剤とトルマリン鉱石もぬいぐるみの中に詰める。
【実施例】
【０００７】以下、添付図面に従って一実施例を説明する。
１は弾性と通気性を有する織目が大きい繊維製造したぬいぐるみの本体、４はぬいぐるみの中に詰めた木の屑、
３はぬいぐるみの頭部に詰めた芝生の種、５ははマイナスイオンを発生するトルマリン鉱石、６は香りを発する芳香剤、７は受け皿【０００８】ぬいぐるみは受け皿の中に入れて、水をかけると芝生の種が発芽する。
【図面の簡単な説明】
【０００９】
【図１】は本考案に係るぬいぐるみの斜視図である
【図２】は本考案に係るぬいぐるみの内部構造を示す説明図である
【符号の説明】
【００１０】１  ぬいぐるみの本体
２  芝生
３  芝生の種
４  木の屑
５  トルマリン鉱石
６  芳香剤
７  受け皿
【図１】
0003103946.tif 000003
【図２】
0003103946.tif 000004
(57)【要約】      （修正有）【課題】眠気防止および、頭脳活性、首筋、肩の疲労につき回復の一助となるべき方法を室内作業、車両の運転中のいずれを問わず提供する。【解決手段】ベルト１にツボ押さえ用の突起２を数個設け、肩の前方を回して脇下に通し、そのエンドに閉じた脇下を通過することの無いようストッパー３を取り付ける。その際、適当な緊張が得られるよう配慮してストッパーの位置を調整可能とする。【選択図】図１
0003103941.tif 000002
【実用新案登録請求の範囲】
【請求項１】
首筋に位置する適切な場所にツボ押さえ用の突起数個を設け、肩の前方を回して、そのエンド、脇の後方にあたる位置にストッパーを構成したつぼ押さえ用のベルト。
【考案の詳細な説明】
【技術分野】
【０００１】この考案は頭脳活性、および首筋、肩の疲労、凝りにつき回復に貢献するための、ツボ押さえ用のベルトに係るものである。
【背景技術】
【０００２】これまでのものは手を使って目的を果たそうとして来た。
【考案の開示】
【考案が解決しようとする課題】
【０００３】手の使用を回避して目的を達成したい。
【課題を解決するための手段】
【０００４】ベルトにツボ押さえ用の突起数個を設け、肩の前方を回して脇下に通し、そのエンドに閉じた脇下を通過することの無いようストッパーを取り付ける。
その際、適当な緊張が得られるよう配慮してストッパーの位置を調節可能な方法を取りたい。
【考案の効果】
【０００５】身体に装着した後、適宜、首または腕を振ればツボ押さえが作用して血流の理想を迎え、頭脳は活性化、眠気を回避して首筋および肩の凝り疲労は快適に除去をされる。
【考案を実施するための最良の形態】
【０００６】ベルトの幅は扱いやすい適切な数値でエンドまでの長さの調節は出来るほうが望ましい。
【実施例】
【０００７】ベルトとストッパーをマジックテープで連結などすれば長さの調節は可能であり、ベルトの幅は５センチ内外でよろしい。
【産業上の利用可能性】
【０００８】価格の予想として、製作原価は千円から三千円内外で可能と思われるからその流通は小さくは無いと想定できる。
【図面の簡単な説明】
【０００９】
【図１】考案の正面図
【図２】装着を示す略図。
【符号の説明】
【００１０】１  ベルト                ２  ツボ押さえ突起
３  ストッパー
【図１】
0003103941.tif 000003
【図２】
0003103941.tif 000004
(57)【要約】【課題】  本考案は、補助ミラー付きサイドミラーに後方確認と前後下側部付近のタイヤ位置と道路に対する位置確認ができるため、安全運転に寄与することにより事故防止を図る。【解決手段】  本考案は、補助ミラー付きサイドミラー１に２の後方確認の鏡と前後下方部を目視するための鏡３，４を設け、運転席から容易に確認できるよう調整し、ネジで鏡を固定させることによって、安定した鏡像が確保できるため、危険回避と事故防止に役立つ。【選択図】  図１
0003103943.tif 000002
【実用新案登録請求の範囲】
【請求項１】
乗用車の両サイドミラーの本体に後方を見るための鏡２と、後方下側部のタイヤと路面付近を見るための鏡３、前方下側部のタイヤと路面付近を見るための鏡４を備えたことを特徴とする補助ミラー付きサイドミラー。
【考案の詳細な説明】
【技術分野】
【０００１】  本考案は、鏡を利用した乗用車等の側面後方向及び、前後下側部付近のタイヤ位置と道路に対する位置確認に関するものである。
【背景分野】
【０００２】  乗用車に備わっているサイドミラーは、車輌本体側面の確認と後方確認が主な安全対策であり、確実に側面前後方向下部付近を確認制御することが困難である。
【考案の開示】
【考案が解決しようとする課題】
【０００３】  既両サイドミラーは車輌本体側面の確認と後方確認が主で、車輌前後方向下部のタイヤと路面付近の確認制御等が困難であった。従って、サイドミラー本体１に後方向を見るための鏡２と後方下側部のタイヤと路面付近を見るための鏡３、前方下側部のタイヤ付近を見るための鏡４を備え、前方下側部のタイヤ付近を見るための鏡３は空洞部５内に取着し、これら鏡２，３，４は運転席から目視できるよう角度調整のうえ、９のネジで固定する。また従来公知の電動式を用いてもよい。これにより前述の欠点を解決しようとするものである。
【考案が解決しようとする手段】
【０００４】  車輌前後下側部を補助ミラー付きサイドミラー３・４で運転席から前後のタイヤと路面付近が確認できるよう調整することで目視が可能となり、未視野範囲の欠点を解決するものである。
【考案の効果】
【０００５】  狭い道路で自動車等がすれ違う時、車をバックするとき、また路肩に寄せるとき、助手席側は極めて確認しにく予測的な勘で行われるため、特に初心者や女性ドライバー・シルバードライバーには心身ともに不安定状況下にある。本考案の補助ミラー付きサイドミラーを用いることで、勘から視覚へ移行するため不安定な状態の欠点を解決するものであり、第三者に与える危害等を最小限に抑える効果がある。
【考案の効果】
【０００６】  補助ミラー付きサイドミラーを用いることで、勘から視覚で確認が容易に出来ることによって運転等に安全安心感が発生し、安定した運転状態が保たれる。
【実施例】
【０００７】  以下、添付図面に従って一実施例を説明する。１は耐久性材質等適宜素材にて一体化形成されたケースからなり、後方確認用鏡２を用い、後方下側部を確認できるための鏡３を、前方下側部を確認するための鏡４を用い、運転席から確認できるよう鏡を上下左右に微調整させたうえ９ネジ締め、固定させる。
【産業上の利用可能性】
【図面の簡単な説明】
【０００８】
【図１】  本考案の実施形態に係る補助ミラー付きサイドミラーの斜視図である。
【図２】  支持フレームで支持した状態の正面図である。
【図３】  図１中４前方下部を見るための鏡部を示した断面図である。
【図４】  図１中３後方下部を見るための鏡部を示した断面図である。
【符号の説明】
【０００９】      １  サイドミラー本体
２  後方を見るための鏡
３  後方下部を見るための鏡
４  前方下部を見るための鏡
５  前後方向の空洞部
６  支持フレーム
７  本体と一体となる抱持体
８  鏡と一体をなす球体
９  角度固定ネジ
【図１】
0003103943.tif 000003
【図２】
0003103943.tif 000004
【図３】
0003103943.tif 000005
【図４】
0003103943.tif 000006
【図５】
0003103943.tif 000007
【手続補正書】
【提出日】平成16年5月13日(2004.5.13)
【手続補正１】
【補正対象書類名】明細書
【補正対象項目名】０００８
【補正方法】変更
【補正の内容】
【０００８】
【図１】  本考案の実施形態に係る補助ミラー付きサイドミラーの斜視図である。
【図２】  支持フレームで支持した状態の正面図である。
【図３】  図１中４前方下部を見るための鏡部を示した断面図である。
【図４】  図１中３後方下部を見るための鏡部を示した断面図である。
【図５】  鏡の角度調節機構の一例の説明図である。
(57)【要約】      （修正有）【課題】開いた状態の書籍の上に載せても滑り落ちないで、書籍を開いておける書籍用文鎮を提供する。【解決手段】横に長い直方体を底面の両端から中央部に向かって円弧状に凹ませた形状にして、底面に書籍の紙面を押さえるのに適当な重量を有する金属、セラミックス、石材等を用いて、横に長い直方体を底面右端部７と底面左端部８から底面中央部９に向かって円弧状に凹ませた形状にする。また更に、底面３にゴム、軟質の合成樹脂などの滑り止め部材２を設ける。【選択図】図１
0003103947.tif 000002
【実用新案登録請求の範囲】
【請求項１】
横に長い直方体を底面右端部と底面左端部から底面中央部に向かって円弧状に凹ませた形状にした書籍用文鎮。
【請求項２】
底面に滑り止め部材を設けた請求項１記載の書籍用文鎮。
【考案の詳細な説明】
【技術分野】
【０００１】  本考案は、書籍を開いた状態を維持するための書籍用文鎮に関するものである。
【背景技術】
【０００２】  従来、書籍を開いた状態を維持するためには、底面の平らな文鎮を開いた状態の書籍の紙面の上に載せる方法があった。
【考案の開示】
【考案が解決しようとする課題】
【０００３】  しかしながら、底面の平らな文鎮は開いた状態の書籍の紙面の上から滑り落ちてしまうことがあり、また、書籍によっては全く使用できないという問題点があった。【０００４】  本考案は、開いた状態の書籍の紙面の上に載せ、書籍の紙面の上から滑り落ちることなく、書籍を開いた状態を良好に維持し得る書籍用文鎮を提供する。
【課題を解決するための手段】
【０００５】  本考案に係る書籍用文鎮は、横に長い直方体を底面右端部と底面左端部から底面中央部に向かって円弧状に凹ませた形状にして、底面に滑り止め部材を設けることにより、上記課題を解決する。
【考案の効果】
【０００６】  請求項１記載の考案によれば、書籍用文鎮は開いた状態の書籍の紙面の上から滑り落ちることなく、書籍を開いた状態を維持することができる。また、請求項２記載の考案によれば、書籍用文鎮の下で紙面がずれることなく、更に良好に書籍を開いた状態を維持することができる。【０００７】  本考案に係る書籍用文鎮を使用すれば、開いた状態の書籍の紙面の上に載せた文鎮が、書籍の紙面の上から滑り落ちて書籍が閉じてしまうという心配がなくなり、また、手で押さえて書籍を開いておかなくてもよくなるので、読書のほか、書籍を見ながら手を使う作業をする時（例えば、工作、料理、書籍の書写など）にも最適である。【０００８】  また、平らな面である前面４、上面５、背面６の内、いずれか一つの面を下にして用紙などがずれないようにするための文鎮としても使用できる。
【考案を実施するための最良の形態】
【０００９】  書籍の紙面を押さえるのに適当な重量を有するもの（例えば、金属、セラミックス、石材など）を用いて、図１に示すように、横に長い直方体を底面右端部７と底面左端部８から底面中央部９に向かって円弧状に凹ませた形状にする。また更に、底面３に滑り止め部材２（例えば、ゴム、軟質の合成樹脂など）を設ける。【００１０】  本考案に係る書籍用文鎮を使用するときは、机の上などの水平な所の上に書籍を開いた状態で置き、書籍の左右の紙面を跨がせるようにして書籍用文鎮を載せる。
【実施例１】
【００１１】  本考案に係る書籍用文鎮の底面３は、厳密に円弧状に凹ませた形状にすることに限定されるのではなく、例えば適当に放物線状に凹ませた形状にしたり、あるいはこれに近いものでも適用可能である。
【実施例２】
【００１２】  本考案に係る書籍用文鎮を使用するときに、開いた状態の書籍１０の閉じようとする力が、書籍１０の右側と左側とで差がない場合は、図３のように、書籍１０の綴じ目１１に書籍用文鎮１の底面中央部９を合わせて載せる。
【実施例３】
【００１３】  本考案に係る書籍用文鎮を使用するときに、開いた状態の書籍１０の閉じようとする力が、書籍１０の右側と左側とで差がある場合は、図４、図５のように、より閉じようとする力が強い側（図４、図５の場合は右側）に書籍用文鎮１の底面中央部９を適度にずらして載せる。このとき、書籍１０の紙面の上から書籍用文鎮１がはみ出すことがあるが、図５のように、書籍１０を置いた机１２などによって書籍用文鎮１が支えられるので問題はない。
【実施例４】
【００１４】  本考案に係る書籍用文鎮の底面３以外の面に絵などを施したり、彫刻を施すなどして、美的効果を高めてもよい。
【図面の簡単な説明】
【００１５】
【図１】本考案に係る書籍用文鎮の斜視図である。
【図２】本考案に係る書籍用文鎮を裏返した状態の斜視図である。
【図３】実施例２を示した斜視図である。
【図４】実施例３を示した斜視図である。
【図５】実施例３を示した正面図である。
【符号の説明】
【００１６】  １  書籍用文鎮
２  滑り止め部材
３  底面
４  前面
５  上面
６  背面
７  底面右端部
８  底面左端部
９  底面中央部
１０  書籍
１１  書籍の綴じ目
１２  机
【図１】
0003103947.tif 000003
【図２】
0003103947.tif 000004
【図３】
0003103947.tif 000005
【図４】
0003103947.tif 000006
【図５】
0003103947.tif 000007
(57)【要約】【課題】  容器本体の遊端側の接合縁上に蓋体の遊端側の接合縁をずれの少ない状態でぴったりと重ね合わせた状態に常に確実にしておくことができるようにした包装用容器を提供すること。【解決手段】  容器本体１と蓋体２とが略方形状に形成されていて、その一側部でヒンジ部３を介して折重ね自在に一体的に連結されている樹脂シート製の包装用容器であって、蓋体２のオープン状態において、容器本体１と蓋体２との何れか一方の四隅部分に上方に向かって突出する突起２２が形成され、容器本体１と蓋体２との何れか他方の四隅部分にこれらの突起２２を受け入れ、かつ、これらの突起２２の外周面とほぼ接する周壁部分を有する突起受け入れ部１２が形成されている構成としたもの。【選択図】      図１
0003103976.tif 000002
【実用新案登録請求の範囲】
【請求項１】
容器本体１と蓋体２とが略方形状に形成されていて、その一側部でヒンジ部３を介して折重ね自在に一体的に連結されている樹脂シート製の包装用容器であって、蓋体２のオープン状態において、容器本体１と蓋体２との何れか一方の四隅部分に上方に向かって突出する突起２２が形成され、容器本体１と蓋体２との何れか他方の四隅部分にこれらの突起２２を受け入れ、かつ、これらの突起２２の外周面とほぼ接する周壁部分を有する突起受け入れ部１２が形成されている樹脂シート製包装用容器。
【請求項２】
容器本体１が鶏卵の下半部を受け入れる個別凹部１１を備え、蓋体２が鶏卵の上面を覆う凹部２１を備えている請求項１に記載の樹脂シート製包装用容器。
【考案の詳細な説明】
【技術分野】
【０００１】
本考案は、容器本体と蓋体とがその一側部でヒンジ部を介して折り重ね自在に一体的に連結形成されている樹脂シート製の包装用容器の構造に関するものである。
【背景技術】
【０００２】
従来から、この種の樹脂シート製包装用容器は、例えば容器内に鶏卵等の被包装物を収納して使用する鶏卵包装用容器として周知されている。この鶏卵包装用容器にあっては、容器本体に対して蓋体を折り曲げ部から折り曲げて容器本体上に重ね合わせ状として覆わせ、その遊端側の接合縁の外周面に、片面に接着剤を塗布した接着テープを側面視Ｕ字形に折り曲げて上下表面に接着させることにより封緘する手段がとられている。
【０００３】
このテープ接着による封緘手段は、通常、機械装置の利用による自動封緘手段がとられており、閉蓋姿勢とした容器をコンベヤによる移送中に、容器の長手方向に沿った接合縁の外周端をテープの上下幅の中間部分に当て付けながら、機械装置によってテープの幅方向の上下部分を折り畳み状としながら容器接合縁の上下面に接着させる手段が採用されている。
【特許文献１】特許第２７０６９１５号公報
【特許文献２】特許第２８６３９０３号公報
【考案の開示】
【考案が解決しようとする課題】
【０００４】
この機械を利用したテープの自動封緘手段を確実なものとするためには、容器本体上への蓋体の折り曲げ姿勢を常に一定状態一定姿勢に確実にしておく必要性がある。即ち、容器本体の遊端側の接合縁上に蓋体の遊端側の接合縁をずれの少ない状態でぴったりと重ね合わせた状態としておく必要性がある。本考案は、閉蓋姿勢においてこのように容器本体と蓋体の遊端側の接合縁どうしを常にぴったりとずれの少ない状態で重ね合わせることができるようにした包装用容器を提供しようとするものである。
【課題を解決するための手段】
【０００５】
この目的を達成するために講じた本考案にかかる樹脂シート製包装用容器の構成は、容器本体１と蓋体２とが略方形状に形成されていて、その一側部でヒンジ部３を介して折重ね自在に一体的に連結されている樹脂シート製の包装用容器であって、蓋体２のオープン状態において、容器本体１と蓋体２との何れか一方の四隅部分に上方に向かって突出する突起２２が形成され、容器本体１と蓋体２との何れか他方の四隅部分にこれらの突起２２を受け入れ、かつ、これらの突起２２の外周面とほぼ接する周壁部分を有する突起受け入れ部１２が形成されている構成としたものである。
【考案の効果】
【０００６】
本考案は以上の構成としたものであるから、蓋体をヒンジ部から折り曲げて容器本体上に嵌合させるとき、蓋体のオープン状態において、容器本体と蓋体との何れか一方の四隅部分に上方に向かって突出する突起が形成され、容器本体と蓋体との何れか他方の四隅部分にこれらの突起を受け入れ、かつ、これらの突起の外周面とほぼ接する周壁部分を有する突起受け入れ部を形成してあるので、容器本体と蓋体とを四隅部分においてほぼしっかりと位置決めすることができる。そのため、閉蓋姿勢において容器本体と蓋体とを常に当初から予定した所定の嵌合姿勢に嵌合させることができ、容器本体と蓋体との遊端側接合縁を位置ずれの少ない状態で、接着テープによって確実に封緘させることができるという効果を有するものである。
【考案を実施するための最良の形態】
【０００７】
以下、本考案の構成を実施例図面に基づいて説明する。図１は容器の全体形状を示す斜視図、図２は同容器の平面図、図３は正面図、図４は背面図、図５は右側面図、更に図６は図２に記載の符号Ａ−Ａ線に沿った拡大断面図である。
【０００８】
而して、この実施例図に示した容器は、図１において前後２列左右５個、合計１０個の鶏卵を個別に収納して包装する鶏卵包装用容器を対象として示したものである。
【０００９】
この鶏卵包装用容器は、合成樹脂シート素材を用いて容器本体１と蓋体２とがその一側部においてヒンジ部３を介して折重ね自在に一体的に連結成形した合成樹脂容器である。鶏卵の包装は、該容器の容器本体１に形成された１０個の各卵収容凹部１１のそれぞれに鶏卵１０個を個別に収納させた後、蓋体２をヒンジ部３から折り曲げて容器本体１の上に折り重ねて、図６のように、これら容器本体１の遊端側の接合縁１３と蓋体２の遊端側の接合縁２３とを重合させ、この重合させた接合縁１３，２３どうしを、片面に接着剤を塗布した封緘用の接着テープによって側面視Ｕ字形に折り曲げて外側から包み込んだ状態で接着して封緘させるものである。
【００１０】
以上に本考案の代表的と思われる実施例について説明したが、本考案にいう容器は実施例に示した鶏卵包装用容器のみに限定されるものではなく、例えば合成樹脂シート素材を用いて容器本体と蓋体とがその一側部においてヒンジ部を介して折重ね自在に一体的に連結成形した他の形態の合成樹脂容器であってもよい。
【図面の簡単な説明】
【００１１】
【図１】本考案の容器を示した斜視図。
【図２】図１の平面図。
【図３】図２の正面図。
【図４】図２の背面図。
【図５】図２の右側面図。
【図６】図２のＡ−Ａ線に沿った拡大断面図。
【符号の説明】
【００１２】
１  容器本体
２  蓋体
３  ヒンジ部
１２  突起受け入れ部
１３  容器本体の接合縁
２２  突起
２３  蓋体の接合縁
【図１】
0003103976.tif 000003
【図２】
0003103976.tif 000004
【図３】
0003103976.tif 000005
【図４】
0003103976.tif 000006
【図５】
0003103976.tif 000007
【図６】
0003103976.tif 000008
(57)【要約】【課題】  屈曲部に装着しても不必要な締め付けに伴なう圧迫感を生じさせないネット包帯の提供。【解決手段】  縦横に伸縮性を有する網目筒状体から成るネット包帯。【選択図】  図２
0003103978.tif 000002
【実用新案登録請求の範囲】
【請求項１】
縦横に伸縮性を有する網目筒状体から成ることを特徴とするネット包帯。
【請求項２】
網目筒状体が、綿アクリル糸１本及びウーリーナイロン糸１本を引き揃えたものと、ウレタンゴム１本とで編成されていることを特徴とする請求項１記載のネット包帯。
【請求項３】
網目筒状体の網目が、両開口側周部において他部より細かいことを特徴とする請求項１又は２記載のネット包帯。
【考案の詳細な説明】
【技術分野】
【０００１】
本考案はネット包帯に関する。
【背景技術】
【０００２】
一般にネット包帯は、伸縮性を有することから特にひじやひざ等の屈曲部への装着固定に汎用されている。
【０００３】
しかしながら、従来のネット包帯は、横方向（径方向）にのみしか伸縮性を有しなかったため、屈曲部に装着した場合、当該横方向（径方向）への伸びに伴ない縦方向（軸方向）が実際上は縮小してしまう結果、人によっては体が不必要に締め付けられ、圧迫感を禁じ得ない、と云う問題があった。
【考案の開示】
【考案が解決しようとする課題】
【０００４】
本考案は斯かる従来の問題に鑑みてなされたものであり、屈曲部に装着した場合であっても、不必要な締め付けに伴なう圧迫感を生じさせることのないネット包帯を提供することを目的とする。
【課題を解決するための手段】
【０００５】
本考案は、縦横に伸縮性を有する網目筒状体から成るネット包帯により上記目的を達成したものである。
【考案の効果】
【０００６】
本考案のネット包帯は、従来のネット包帯とは異なり、横方向（径方向）のみならず、縦方向（軸方向）にも自在に伸縮するため、屈曲部に装着しても、当該屈曲部の屈曲動に対応したソフトなフィット感を常に保持し得るので、不必要な締め付けに伴なう圧迫感を生じさせることはない。
【考案を実施するための最良の形態】
【０００７】
本考案の網目筒状体は、縦横に伸縮性を有するものであれば、具体的材質や編成法の如何を問わないが、綿アクリル糸１及びウーリーナイロン糸１本を引き揃えたものと、ウレタンゴム１本とで編成したものが、縦横に程良い伸縮性を得ることができるので望ましい。
【０００８】
また、網目筒状体は、全体を均一の網目の大きさとしても良いが、両開口側周部の網目を他部より細かい網目とするのが強度並びに装着固定性に優れ望ましい。
【実施例】
【０００９】
以下一実施例を示す図面と共に本考案を更に説明する。
【００１０】
図１は、本考案ネット包帯を一部伸ばした状態を示す要部正面説明図である。
この図１において、１０は網目筒状体で、引き揃え糸部１１と単糸部１２により編成され、縦横に伸縮性を有している。当該引き揃え糸部１１としては、３２／−線アクリル糸と３０／２ウーリーナイロン糸の２本が用いられ、また単糸部１２としてはウレタンゴム１本が用いられており、これらの引き揃え糸部１１と単糸部１２により網目筒状体１０に、横方向（径方向）のみならず縦方向（軸方向）への伸縮性が付与されている。
【００１１】
図２は、本考案ネット包帯の装着部位に応じた実施例を示すもので、同図（１）はひじ用、同図（２）はひざ用、同図（３）は手首用、同図（４）は足首用のネット包帯である。
この図２（１）〜（３）において、１０ａは網目筒状体１０の開口側周部で、他部１０ｂより細かい網目となっている。
また、図２（４）において、１３は踵用穴部で、当該踵用穴周縁部１０ｄも開口側周部１０ａと同様他部１０ｂより細かい網目となっている。
尚、図２（１）〜（４）において、１０ｃは網目筒状体１０の開口端部に形成されたオーバーロック部である。
【図面の簡単な説明】
【００１２】
【図１】一部を伸ばした状態の本考案ネット包帯を示す要部正面説明図。
【図２】装着部位に応じた本考案ネット包帯の形態例を示す正面模式説明図。
【符号の説明】
【００１３】
１０：網目筒状体
１０ａ：開口側周部
１０ｂ：他部
１０ｃ：オーバーロック部
１０ｄ：踵用穴周縁部
１１：引き揃え糸部
１２：単糸部
１３：踵用穴部
【図１】
0003103978.tif 000003
【図２】
0003103978.tif 000004